(57)【特許請求の範囲】
【請求項１】
上部開口を有する有底の筒状体であるグラス本体と、
前記グラス本体の側面に映像表示装置を固定するための固定機構と、
前記映像表示装置の映像表示部に表示された映像を前記グラス本体の外部から視認するための透明部と、
前記グラス本体の内部に配置されるビームスプリッターとを備えており、
前記ビームスプリッターは前記グラス本体の内部の飲料から成り、
前記飲料は前記映像表示部に対して傾斜している平坦な傾斜面を前記映像が入射する位置に備え、
前記映像表示部に表示された前記映像が前記ビームスプリッターで２つに分光されて反射像と透過像になり、前記反射像と前記透過像が前記透明部を通過して前記グラス本体の外部に至ることを特徴とする飲料用演出グラス。
【請求項２】
前記飲料の色及び／又は光透過性を調整する事により前記反射像と前記透過像の明るさの比率が調整可能なことを特徴とする請求項１に記載の飲料用演出グラス。
【請求項３】
前記ビームスプリッターが前記傾斜面を備えた形状に凍結した飲料から成ることを特徴とする請求項１〜２のいずれか一項に記載の飲料用演出グラス。
【請求項４】
前記グラス本体の側面で且つ前記映像が入射する位置に前記映像表示部に対して傾斜している平坦部を備えることを特徴とする請求項１〜３のいずれか一項に記載の飲料用演出グラス。
【請求項５】
前記傾斜面の前記映像表示部に対する傾斜角度が可変であることを特徴とする請求項１〜４のいずれか一項に記載の飲料用演出グラス。
【請求項６】
前記透明部の前記透過像が通過する位置に前記グラス本体外側に凸状に湾曲した湾曲部を備えることを特徴とする請求項１〜５のいずれか一項に記載の飲料用演出グラス。
【請求項７】
前記上部開口を塞ぐための蓋を備えることを特徴とする請求項１〜６のいずれか一項に記載の飲料用演出グラス。
【請求項８】
請求項１〜７のいずれか一項に記載の飲料用演出グラスで用いるコンピュータプログラムを保存した記憶媒体であり、
前記コンピュータプログラムが前記映像を左右反転処理及び／又は上下反転処理するものであることを特徴とする記憶媒体。
【請求項９】
請求項３に記載の飲料用演出グラスで用いる飲料用凍結容器であり、
前記傾斜面を備えた形状に飲料を凍結させることを特徴とする飲料用凍結容器。
【請求項１０】
請求項１〜７のいずれか一項に記載の飲料用演出グラスで用いる飲料用演出システムであり、
着色した前記飲料を前記ビームスプリッターとして用いることにより前記反射像の特定の色を強調することを特徴とする飲料用演出システム。
【発明の詳細な説明】
【技術分野】
【０００１】  本発明は、飲料水から成るビームスプリッターを用いてグラス側面の映像表示装置の映像を分光又は反射する飲料用演出グラスと飲料用演出システム及びこれらに使用する記憶媒体と飲料用凍結容器に関する。
【背景技術】
【０００２】  飲料を入れる機能以外に様々な機能を持ったグラスが開発されている。
例えば特許文献１〜３には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献４〜５には本願発明者が発明した飲料用演出グラスが開示されている。この飲料用演出グラスは、グラス側面に格納部によって固定された映像表示装置と、グラス本体内部に配置された反射鏡又はハーフミラーとを備えてりおり、映像表示装置の映像を疑似的にグラス内部に投影する演出が可能なグラスである。
【先行技術文献】
【特許文献】
【０００３】
【特許文献１】特許第６３３７２５６号
【特許文献２】特許第６４０６７４２号
【特許文献３】特許第６４３２９６０号
【特許文献４】特許第６４８８０４９号
【特許文献５】特許第６５２８１６２号
【発明の概要】
【発明が解決しようとする課題】
【０００４】  上記特許文献４〜５はグラス内に氷投入時やスプーン等でグラス内の飲料を撹拌時にグラス内に配置された金属やガラス製の反射鏡或はビームスプリッター（分光器）が破損してしまう恐れが有り、その破損した反射鏡或はビームスプリッターの破片をユーザーが誤飲してしまうという安全面の問題点が有る。また、グラス本体の重量が反射鏡或はビームスプリッターの分だけ増加してしまうという問題点が有る。また、ユーザー自身で映像の反射率や透過率のコントロール又は微調整が難いという問題点を有する。【０００５】  本発明は上記問題を鑑み、映像の反射率のコントロールが容易な安全な飲料用演出グラスを提供することを課題とする。また、これら飲料用演出グラスを用いた飲料用演出システム、及びこれらに使用する記憶媒体と飲料用凍結容器を提供することを課題とする。
【課題を解決するための手段】
【０００６】  本発明の飲料用演出グラスは、上部開口を有する有底の筒状体であるグラス本体と、前記グラス本体の側面に映像表示装置を固定するための固定機構と、前記映像表示装置の映像表示部に表示された映像を前記グラス本体の外部から視認するための透明部と、前記グラス本体の内部に配置されるビームスプリッターとを備えており、前記ビームスプリッターは前記グラス本体の内部の飲料から成り、前記飲料は前記映像表示部に対して傾斜している平坦な傾斜面を前記映像が入射する位置に備え、前記映像表示部に表示された前記映像が前記ビームスプリッターで２つに分光されて反射像と透過像になり、前記反射像と前記透過像が前記透明部を通過して前記グラス本体の外部に至ることを特徴とする。
また、前記飲料の色及び／又は光透過性を調整する事により前記反射像と前記透過像の明るさの比率が調整可能なことを特徴とする。
また、前記ビームスプリッターが前記傾斜面を備えた形状に凍結した飲料から成ることを特徴とする。
また、前記グラス本体の側面で且つ前記映像が入射する位置に前記映像表示部に対して傾斜している平坦部を備えることを特徴とする。
また、前記傾斜面の前記映像表示部に対する傾斜角度が可変であることを特徴とする。
また、前記透明部の前記透過像が通過する位置に前記グラス本体外側に凸状に湾曲した湾曲部を備えることを特徴とする。
また、前記上部開口を塞ぐための蓋を備えることを特徴とする。
本発明の記録媒体は、上記飲料用演出グラスで用いるコンピュータプログラムを保存した記憶媒体であり、前記コンピュータプログラムが前記映像を左右反転処理及び／又は上下反転処理するものであることを特徴とする。
本発明の飲料用凍結容器は上記飲料用演出グラスで用いる飲料用凍結容器であり、前記傾斜面を備えた形状に飲料を凍結させることを特徴とする飲料用凍結容器。
本発明の飲料用演出システムは、上記飲料用演出グラスで用いる飲料用演出システムであり、着色した前記飲料を前記ビームスプリッターとして用いることにより前記反射像の特定の色を強調することを特徴とする。
【発明の効果】
【０００７】  本発明の飲料用演出グラスは、映像表示装置をグラス本体の側面に固定し、映像表示部の映像をグラス本体内に配置した分光器（より厳密にはビームスプリッター）で入射波と反射波に分光する。ビームスプリッターで分光された２つの映像はグラス本体の異なる２つの透明部を同時に通過してグラス本体の外部に至り、２人以上のユーザーに視認される。映像表示装置は携帯型通信装置の一部であってもよい。
本発明の飲料用演出グラスは従来のように（詳細は特許第６４８８０４９号と特許第６５２８１６２号を参照）グラス本体の内部に割れる危険性が有る反射鏡や分光器或はビームスプリッター等を配置する必要が無いためグラス本体の飲料撹拌時にそれらが破損してしまう危険性も無く且つ金属製の反射鏡やガラス製のビームスプリッター等が不要のためその分グラス本体の軽量化が可能である。
また、本発明の飲料用演出グラス内のビームスプリッターは飲料のため飲むことが可能である。
また、本発明の飲料用演出グラスは反射鏡やビームスプリッターとして飲料そのものを用いているためその飲料の色や光透過性を調整する事により任意にグラス内部で分光される反射像と透過像の明るさの比率が調整可能である（つまり飲料の色や光透過性の強度により飲料はビームスプリッターとしても反射鏡としても機能する）。
グラス本体の周囲の第三者に携帯型通信装置の映像の透過像を見せたくない場合はブラックコーヒー又は黒ビール等の光透過性が少ない飲料をビームスプリッターとして用いることにより透過像をキャンセルして反射像のみユーザーに投影出来る。
グラス本体内のビームスプリッターは凍結した飲料から成るためユーザーはそのビームスプリッターを食べるたり溶かして飲む事が可能である。また、好みの清涼飲料から家庭用冷蔵庫にて様々な反射角、反射率或、透過率を有するビームスプリッターを作れる。
反射像と透過像は左右又は上下左右が反転するので、ユーザーが反射像を主体で見る場合と透過像を主体で見る場合とで画像反転処理プログラム等で映像の画像の反転状態を瞬時に切り替え出来るようにするとユーザーの利便性の向上が図れる。グラス側面の透明部の透過像が通過する位置にグラス本体外側に凸状に湾曲した湾曲部を備えることにより飲料Ｌの一部を凸レンズとして機能させ透過像を拡大して表示出来る。飲料Ｌの種類に応じて透過像の拡大率を変化させる演出が可能である。
本発明の飲料用演出システムは様々な色の飲料を切り替える事により特定の色の文字や物体を強調したり不可視化して反射像を反射する事が出来る。
【図面の簡単な説明】
【０００８】
【図１】第１の実施の形態の飲料用演出グラスを示す斜視図
【図２】飲料用演出グラスの形状例の斜視図（ａ），（ｂ），（ｃ）
【図３】第２の実施の形態の飲料用演出グラスを示す斜視図
【図４】ビームスプリッター用の飲料用凍結容器の例の斜視図
【図５】第３の実施の形態の飲料用演出グラスを示す斜視図
【図６】画像反転処理プログラムのフローチャート図
【図７】第１の実施の形態の飲料用演出システムの構成を示す斜視図
【発明を実施するための形態】
【０００９】［飲料用演出グラスの第１の実施の形態］
以下、本発明の飲料用演出グラスの第１の実施の形態を図面を用いて示す。
図１に示すように、飲料用演出グラス１はグラス本体１０、固定機構１６、飲料Ｌ、ビームスプリッター３０、傾斜面１７、透明部１２から概略構成される。
グラス本体１０は上部開口１１を有する有底の筒状体でありその内部に飲料等の液体Ｌを充填出来る。グラス本体１０の材質としては、一般的なグラスと同様にガラス、樹脂、陶器、磁器等が挙げられる。
固定機構１６はグラス本体１０の側面に映像表示装置８０を固定するための部材である。本実施の形態では固定機構１６として映像表示装置８０を挿入するための挿入口２１と、映像表示装置８０を格納するための格納部２０を備える。
なお、映像表示装置８０はスマートフォン等の携帯型通信装置に内蔵の映像表示装置でを用いても良い。
ビームスプリッター３０は飲料Ｌから成りグラス本体１０の内部に配置され、映像表示装置８０の映像表示部８５に表示された映像８１（本実施の形態ではアルファベットのＡとする。）を反射像８３と透過像８４に分光するために用いられる。分光された透過像と反射像は透明部を通過してグラス本体の外部に至る。
ビームスプリッター（英；Ｂｅａｍ  ｓｐｌｉｔｔｅｒ）３０は光束（つまりビームスプリッター３０に入射した光）を２つ（又は３つ以上）に分割する光学装置である。ビームスプリッター３０に入射した光の一部は反射し、一部は透過する。一般的には光学ピックアップ、反射型液晶プロジェクタ、光通信機器、光子乱数発生器などに用いられる。本発明ではビームスプリッター３０の分光機能を利用して映像表示装置８０の映像表示部８５に表示された映像８１の光を反射像８３と透過像８４に分光する。通常ビームスプリッターは透明なガラスや樹脂（アクリル等）から成るが本発明の飲料用演出グラス１ではグラス本体１０の内部の飲料Ｌその物をビームスプリッターとして用いている。
飲料Ｌはグラス本体１０内部に位置しビームスプリッター３０として用いられる。こうする事により通常のビームスプリッターと違い飲料Ｌの色や光透過性を調整する事により（つまりユーザーが飲料の色や色の濃度を調整するだけで）グラス内部で分光される反射像８３と透過像８４の明るさの比率が調整可能になる。例えば飲料Ｌとしてコーヒー等の光透過性が殆ど無い飲料を用いれば透過像８４だけを見えなくする事も出来る。またガラスや樹脂等を用いた通常のビームスプリッターを別途グラス本体１０の内部に配置する必要が無いためその分グラスの軽量化と安全性の向上を図る事が出来る。
傾斜面１７は飲料Ｌの映像８１を入射するエリアに位置し映像表示装置８０の映像表示部８５に対して傾斜している平坦な面であり反射像８３が反射する面として用いられる。傾斜面１７は映像表示部８５に対して傾斜しているため映像８１の飲料Ｌへの入射角Ｉは０度にならないためユーザーＵは反射像８３をグラス本体１０の周囲より視認出来る。仮に傾斜面１７が存在しない場合（つまり入射角Ｉが０度の場合）、入射角と反射角は等しいため映像表示部８５から投影される映像８１は飲料Ｌにより映像表示部８５方向に打ち返されて反射するためユーザーＵから見ると反射像８３は映像表示装置８０に遮られて視認困難になる。そのため傾斜面１７は反射像８３を視認するために必須である。なお、図１の例では飲料Ｌに傾斜面１７を備えるための方法として映像表示装置８０を格納する格納部２０をグラス側面に取り付けたフック２２と角度調整機構２３により映像表示部８５を水面ＬＢに対して傾斜させた状態で固定させることにより水面ＬＢを傾斜面１７として用いている。傾斜面１７は平坦なため反射像８３の乱反射せずに歪まない。仮に傾斜面１７に湾曲部や角部を含むと反射像８３が様々な方向に反射してしまうため歪んでしまいユーザーＵは正常な反射像８３を視認できなくなる。そのため傾斜面１７は平坦であることが必須である。
透明部１２は映像８１（反射像８３と透過像８４）を複数（本実施の形態では２人）のユーザーＵが外部から視認するためにグラス本体１０の側面に設けられる。各ユーザーＵは格納部２０に格納された状態の映像表示装置８０の映像８１（反射像８３と透過像８４）をビームスプリッター３０と透明部１２を介してグラス本体１０の側面から視認できる。なお、ユーザーＵが反射像８３と透過像８４を視認さえ出来れば必ずしもグラス全体を透明にする必要は無い。なお、グラス本体１０に取っ手１３を備えるジョッキ型にして持ち易くしても良い。
【００１０】  飲料Ｌそのものがビームスプリッター３０のため飲料Ｌがウィスキー等の琥珀色の場合、ユーザーＵが透明部１２から視認する映像はその飲料Ｌの色で着色されるので、グラス本体１０に充填する飲料Ｌの色に応じて映像が着色される演出効果を得られる。なお、図１の矢印はビームスプリッター３０内の光路をしめす。ビームスプリッター３０である飲料Ｌに傾斜面１７より入射した映像表示装置８０の映像８１は、ビームスプリッター３０を介して２つに分光され、反射像８３と透過像８４になる。光学の基本法則により入射角と反射角は等しいため格納部２０に角度調整機構２３（ヒンジや蝶番等）を備えることにより傾斜面１７と映像表示部８５のなす角を調整する事により反射像８３と透過像８４のなす角を調整出来る。なお、図１中の符号８２は反射像８３を見ているユーザーＵ側から見た場合にビームスプリッター３０（より厳密には傾斜面１７）に写っている映像８１の像である。
なお、反射像８３はビームスプリッター３０に反射したものであるため映像８１や透過像８４に対して左右或は上下左右反転（或は鏡文字化）するが、これは映像表示装置８０側で画像処理して映像８１を予め左右或は上下左右反転させておけば解決出来る。ただし、反転処理をした場合は透過像８４も反転してしまうため、透過像８４を主として視認したい場合は反転処理する必要は無い。なお、上下反転処理だけについては図１のように格納部２０に映像表示装置８０を予め上下反転させた状態で固定する事により画像処理ソフトウェア側で反転処理しなくても反射像８３を上下反転出来る。このためグラス本体１０に映像表示装置８０を固定する固定機構１６としては図１のように上下反転した状態でも映像表示装置８０を固定できる格納部２０やベルト機構等が望ましい。なお、ユーザーＵがグラス本体１０側でなく映像表示装置８０側からグラス本体１０内部の反射像８３を覗き込む使用形態の場合は反射像８３と透過像８４は上下反転しないので上下反転処理は不要である。
【００１１】  図２に本発明の飲料用演出グラスの飲料用演出グラスの形状例を示す。
飲料用演出グラス１の形状はグラス本体１０内部の飲料Ｌが傾斜面１７を備える形状ならどのような形状でも特に制限は無い。
例えば図２（ａ）は傾斜面１７を備えるために図１のように格納部２０を傾斜させる代わりにグラス本体１０を傾斜させている。グラス本体１０の底部に角度調整機構２３を備えれば傾斜面１７の映像表示部８５に対する傾斜角度１９を自由に調整できるため映像８１の入射角つまり映像８３の反射角を変更出来る。例えば透明部１２越しだけでなく上部開口１１越しからでもユーザーＵが反射像８３を視認出来るように角度調整機構２３を以て傾斜角度１９を調整しても良い。なお角度調整機構２３としてはヒンジ等の既知の機構を用いれば良い。
図２（ｂ）は傾斜面１７を飲料Ｌに備えるためにグラス本体１０の側面が映像表示部８５に対して傾斜している平坦部１８を備える形状になっている。こうする事により図１のように映像表示装置８０がグラス本体１０の側面に突き出す状態に固定しなくても傾斜面１７を飲料Ｌに備えることが出来るため映像表示装置８０が他の物体に接触して破損する事を防げ、更に飲料用演出グラス１の省スペース化も図れる。図２（ｃ）は図２（ｂ）の飲料用演出グラス１を上部開口１１を閉めるための蓋１０ａを備えるボトル型の形状にしただけである。
【００１２】［飲料用演出グラスの第２の実施の形態］
以下、本発明の飲料用演出グラスの第２の実施の形態を図面を用いて示すが、上記第１の実施の形態の飲料用演出グラス１と同一の構成となる箇所については同一の符号を付してその説明を省略する。
図３に示すように、ビームスプリッター３０として傾斜面１７を備えた形状に凍結した飲料Ｌである飲料Ｌ２を用いても良い。飲料Ｌ２は凍結しているため固体であり更に予め傾斜面１７を備えた状態で凍結しているため、上記第１の実施の形態の飲料用演出グラス１の図１のように映像表示装置８０をグラス本体１０側面に傾斜した状態で固定する必要も、或は図２（ｂ）や図２の（ｃ）のようにグラス本体１０側面に傾斜した平坦部１８を設ける必要も一切無く、通常の円筒形の形状のグラス本体１０内の飲料Ｌ３（液体）の中に凍結した飲料Ｌ２を入れるだけで傾斜面１７である飲料Ｌ２と飲料Ｌ３の境界面ＬＢ２が自動で生成される。なお、飲料Ｌ２と飲料Ｌ３の飲料の種類を同じにすると境界面ＬＢ２での映像８１の反射は殆ど無くなるため反射像８３が殆ど見えなくなる。そのため反射像８３を明瞭に見えるようにしたい場合は飲料Ｌ２の色の濃度を飲料Ｌ３に比して濃くすれば良い。例えば飲料Ｌ２にブラックコーヒーか黒ビール等の色の濃い光透過性の弱い飲料を用いて、飲料Ｌ３には無色の蒸留酒等を用いると反射像８３が良く見えるようになる。
飲料Ｌ２は飲料Ｌ３によって徐々に溶けるため時間経過により反射像８３が見えなくなる演出が可能であり、飲料Ｌ２は氷のため飲料Ｌ３を冷やすことが出来る。
なお、図３のようにユーザーＵが映像表示装置８０側からグラス本体１０内部の反射像８３を覗き込む使用形態の場合は反射像８３と透過像８４は上下反転しない。
図４のようにビームスプリッター３０を作成するための飲料用凍結容器９０（つまり金型）を用いれば、ユーザーは家庭用冷蔵庫で好みの清涼飲料水やアルコール飲料水を用いてビームスプリッター３０を成形できる。更に飲料Ｌ２を凍結させる際に自由な角度の傾斜面１７を設定できる。なお、飲料用凍結容器９０は傾斜面１７を備えた形状に飲料Ｌを凍結させる形状の容器であることが必須である。飲料用凍結容器９０を凍結させる代わりに飲料Ｌを飴や糖分或はゼラチン等で固めても良い。
【００１３】［飲料用演出グラスの第３の実施の形態］
以下、本発明の飲料用演出グラスの第３の実施の形態を図面を用いて示すが、上記各実施の形態の飲料用演出グラスと同一の構成となる箇所については同一の符号を付してその説明を省略する。
図５に示すように、透明部１２は透過像８４が透過する位置にグラス本体１０外側に凸状に湾曲した湾曲部１５を備えても良い。ユーザーＵはその湾曲部１５を通して透過像８４を視認すると映像８１に比して透過像８４は拡大して見える。これは水の光の屈折率は約１．３３３であり空気の屈折率に比して大きいため凸状の湾曲部によって平凸レンズ又は両凸レンズと同じ形状になった飲料Ｌがレンズ（より厳密には凸レンズ）になるためである。ただしガラスの光の屈折率は約１．４３〜１．４７であるため飲料Ｌを屈折媒体として用いたレンズはガラスを用いた通常の凸レンズに比して拡大率は小さくなる。なお湾曲部１５の形状としては半球形状等の既知の凸レンズの形状が考えられる。
エチルアルコールや濃度が２０［％］の砂糖の屈折率は約１．３６であるため飲料Ｌがアルコールや砂糖を添加された液体の場合は通常の水や水道水に比して拡大率は大きくなる。このように飲料Ｌのアルコール濃度や甘さを変えることにより透過像８４の拡大率を調整する演出が可能である。
【００１４】  上記第１〜３の実施の形態の飲料用演出グラス１で用いる前記映像を左右反転処理又は上下反転処理するコンピュータプログラムのフローチャートの例を図６に示す。
まず、最初のステップ１にて映像８１のデータを取得し、次のステップ２にて必要に応じて映像８１の左右反転或は上下左右反転処理を行い、最後のステップ３にて反転処理を行った映像を映像表示装置８０に出力して終了する。なお、利便性向上のために画像反転処理を行うための映像表示装置８０に画像反転用のボタンを設けてそのボタン押下時のタイミングでも良い。また更なる利便性向上のために映像表示装置８０内に加速度センサーを設けてグラス本体の傾斜を検知したタイミング、つまりユーザーＵが飲料時にグラスを傾斜させて上部開口部やその近傍の透明部１２の反射像を視認していると推定されるタイミングで反転処理するようにしても良い。本画像反転処理のプログラムを動作させるコンピューターは専用ＩＣでも携帯型通信装置内のコンピューターでも遠隔地のサーバー内のコンピューターでも良い。
画像反転処理のアルゴリズムは画像の画素のＸ方向やＹ方向の座標を入れ替える既知の物で良い。
【００１５】［飲料用演出システムの第１の実施の形態］
以下、本発明の飲料用演出システムの第１の実施の形態について説明する。上記各実施の形態の飲料用演出グラスと同一の構成となる箇所については同一の符号を付してその説明を省略する。
図７に示すように、本実施の形態の飲料用演出システム１では上記各実施の形態の飲料用演出グラス１と着色された飲料を飲料Ｌとして用いる。着色された飲料とは水や純水等の無色透明な飲料を除く全ての飲料であり、具体例を挙げるとコーヒーや黒ビールのように黒色の飲料、トマトジュースや赤ワイン等の赤色の飲料、ウィスキーやビールのように黄金色や琥珀色の飲料を指す。
上記の飲料用演出グラスの第１の実施の形態で説明したように本発明の飲料用演出グラスでは飲料Ｌをビームスプリッター３０として用いているため様々な飲料Ｌにより反射像８３の着色が可能であり、これを用いれば反射像８３の特定の色を強調して見せる演出が可能である。例えば図７のように映像８１が白色の文字画像の場合は黒色の液体（例えばコーヒー等）を飲料Ｌとして用いれば反射像８３では映像８１の白色のエリアが飲料Ｌの黒色により強調されるためより明瞭に見えるようになる。また、飲料Ｌとして白色の飲料（牛乳等）を用いれば映像８１の白色のエリアつまりＡの文字を殆ど見えなくする事も出来る。このように本実施の形態の飲料用演出システム１は様々な色に着色された飲料Ｌを切り替える事により映像８１の中の特定の色の文字や物体を強調したり逆にキャンセルして反射像８３を反射する事が出来る。このため同じ映像８１でも飲料Ｌにより見え方や映像のコントラストが変化する演出が可能である。
【産業上の利用可能性】
【００１６】  本発明は、グラス本体の側面の映像を反射するためのビームスプリッターをグラス本体の内部の飲料を以て構成しているため安全で軽量且つ映像の反射率と透過率を容易にコントロールできる。以上より本発明は産業上の利用可能性を有する。
【符号の説明】
【００１７】Ｌ  液体（飲料）
Ｌ２  飲料（固体）
Ｌ３  飲料（液体）
ＬＢ  水面
ＬＢ２  境界面
Ｉ  入射角
Ｕ  ユーザー
１  飲料用演出グラス
１０  グラス本体
１１  上部開口
１２  透明部
１３  取っ手（透明）
１０ａ  蓋
１５  湾曲部
１６  固定機構
１７  傾斜面
１８  平坦部
１９  傾斜角度
２０  格納部
２１  挿入口
２２  フック
２３  角度調整機構
３０  ビームスプリッター
８０  映像表示装置
８１  映像
８２  像
８３  反射像
８４  透過像
８５  映像表示部
９０  飲料用凍結容器
【要約】
【課題】  映像の反射率のコントロールが容易な安全な飲料用演出グラスとこれら飲料用演出グラスを用いた飲料用演出システム及びこれらに用いる記憶媒体と飲料用凍結容器を提供することを課題とする。
【解決手段】  本発明の飲料用演出グラス１は上部開口を有する有底の筒状体であるグラス本体と、前記グラス本体の側面に映像表示装置を固定するための固定機構と、前記映像表示装置の映像表示部に表示された映像を前記グラス本体の外部から視認するための透明部と、前記グラス本体の内部に配置されるビームスプリッターとを備えており、前記ビームスプリッターは前記グラス本体の内部の飲料から成り、前記飲料は前記映像表示部に対して傾斜している平坦な傾斜面を備え、前記映像表示部に表示された前記映像が前記ビームスプリッターで２つに分光されて反射像と透過像になり前記グラス本体の外部に至ることを特徴とする。
【選択図】図１【図１】
0006727593.tif 000002
【図２】
0006727593.tif 000003
【図３】
0006727593.tif 000004
【図４】
0006727593.tif 000005
【図５】
0006727593.tif 000006
【図６】
0006727593.tif 000007
【図７】
0006727593.tif 000008